(57)【要約】【課題】 ラインストーンを用いた装飾アートを誰でも簡単に楽しむことができるようにする。【解決手段】長手方向に切り込みが設けられたベーステープ１４と、ベーステープ１４の裏面に設けられた剥離層と、切り込みに跨るように剥離層に接着されたラインストーン１２と、ベーステープ１４を一方向に送り出す供給リール１６および回収リール１８と、ラインストーン１２を切り込みを通してベーステープ１４の表面側に押し出すローラ２０と、ベーステープ１４を挟んでローラ２０と相対する位置に開口２６が設けられた筐体２４により、装着装置１０を構成する。【選択図】図１
2014091312.tif 000002
【特許請求の範囲】
【請求項１】
長手方向に切り込みが設けられたベーステープと、
前記ベーステープの裏面に設けられた剥離層と、
底面に接着層が設けられ、前記切り込みに跨るように前記剥離層に接着された装飾片と、
前記ベーステープを一方向に送り出す供給リールおよび回収リールと、
前記装飾片を前記切り込みを通して前記ベーステープの表面側に押し出すローラと、
前記ベーステープを挟んで前記ローラと相対する位置に開口が設けられた筐体を備える、
装飾片の装着装置。
【請求項２】
前記切り込みが、前記ベーステープの長手方向に沿って連側的に設けられている、
請求項１に記載の装飾片の装着装置。
【請求項３】
前記切り込みが、前記ベーステープの長手方向に沿って非連側的に設けられている、
請求項１に記載の装飾片の装着装置。
【請求項４】
前記切り込みの一部に前記装飾片の底面より小径の孔が設けられている、
請求項１または２に記載の装飾片の装着装置。
【発明の詳細な説明】
【技術分野】
【０００１】
本発明は、ラインストーン等の装飾片を紙やプラスチック等の被装飾体に装着するための装置に関する。
【背景技術】
【０００２】
ラインストーンは、多面的にカッティングされたガラスに金属製の薄膜を施した直径２、３ｍｍ程度の小片であり、光に当てると宝石のようにキラキラと輝くことから、安価で手軽な装飾片として広く用いられている。ラインストーンはピンセット等で摘まみ上げ、携帯電話機や手帳等の被装飾体の装飾したい部分に置いていくだけで簡単に装着することがでる。装着に際しては予めラインストーンもしくは被装飾体の何れかに接着剤を施しておく必要がある。しかし、これらの作業は、特にラインストーンを好んで用いる若い女性にとってはつけ爪などが邪魔をして非常に煩雑であり、また接着剤がはみ出したりして外観上も好ましい感じには仕上がらないことも多い。
【０００３】
この接着作業を簡略化する技術として、例えば特許文献１には、予めホットメルトフィルムとラインストーンを一体化させ、ホットメルトフィルムに装着した両面テープを用いて被装飾体に接着するという技術が開示されている。この技術によれば、予めホットメルトフィルム上に所望の間隔で並べた複数のラインストーンを一度の作業で同時に接着することができるので、作業時間を短縮することができる。
【先行技術文献】
【特許文献】
【０００４】
【特許文献１】特開２００９−１６６４６６号公報
【発明の概要】
【発明が解決しようとする課題】
【０００５】
しかし、この技術によれば、ラインストーンとともにホットメルトフィルムも同時に接着されてしまうため、外観上は決して好ましいものではない。またホットメルトフィルムを適当な長さに切除する作業は依然として手作業のままであり、煩雑さは否めない。そこで、従来、修正テープやテープのりの貼り付けに用いられている転写具（例えば、特開２０００−９４８８９号公報を参照のこと。）の基本的な構造をラインストーンの装着用に転用することに想到し、技術上の課題の解決を試みた。
【課題を解決するための手段】
【０００６】
ラインストーンには修正テープやテープのりとは異なって厚みがあること、およびより強力な接着力が必要なことから、本発明では次のような構成を採用した。
【０００７】
本発明は、長手方向に切り込みが設けられたベーステープと、前記ベーステープの裏面に設けられた剥離層と、底面に接着層が設けられ、前記切り込みに跨るように前記剥離層に接着された装飾片と、前記ベーステープを一方向に送り出す供給リールおよび回収リールと、前記装飾片を前記切り込みを通して前記ベーステープの表面側に押し出すローラと、前記ベーステープを挟んで前記ローラと相対する位置に開口が設けられた筐体を備える装飾片の装着装置である。
【発明の効果】
【０００８】
本発明によれば、被装飾体の装飾したい部分にベーステープを押し当てながら所定の方向に動かすと、ベーステープが一方向に送り出され、ローラによってベーステープから押し出された装飾片を被装飾体に装着することができるので、誰でも簡単に装飾アートを楽しむことができる。
【図面の簡単な説明】
【０００９】
【図１】装着装置の構成を示す図
【図２】ベーステープの構成を示す図
【図３】ラインストーン装着時の動作を示す図
【図４】ラインストーンの装着方法を示す図
【図５】ベーステープの他の形態の構成を示す図
【発明を実施するための形態】
【００１０】
本発明の実施の形態について、装飾体としてラインストーンを用いる場合を例にとって説明する。図１において、ラインストーンの装着装置１０（以下、装着装置１０という。）は、ラインストーン１２が接着されたベーステープ１４、使用前のベーステープ１４を収納する供給リール１６、使用後のベーステープを収納する回収リール１８、ベーステープ１４の移動経路を規制する２個のローラ２０、２２、およびこれら全てを内部空間に収納する筐体２４で構成されている。
【００１１】
筐体２４には内外に通じる開口２６が設けられており、開口２６の位置に合わせてローラ２０が配置されている。ベーステープ１４はローラ２０の外側を通って表面の一部が開口２６から筐体２４の外側に露出している。この露出した部分をローラ２０を用いて紙やプラスチック等の被装飾体に押し当てながら所定の方向に動かすと、ローラ２０が転動してベーステープ１４が筐体２２の移動方向とは反対の方向に移動し、供給リール１６から引き出された長さ分だけ回収リール１８に巻き取られる。
【００１２】
ベーステープ１４は、図２（ａ）に示すように一定の幅を有する長尺の帯状体であり、両端がそれぞれ供給リール１６と回収リール１８と連結されている。ベーステープ１４には幅方向の略中央に長手方向に延びる切り込みが３０が入れられている。ベーステープ１４の裏面は剥離剤でコーティングされており、その上にラインストーン１２が接着されている。ラインストーン１２は、その中心がベーステープ１４の切り込み３０上に位置するように切り込み３０を跨いでベーステープ１４に接着されており、ベーステープ１４の長手方向に一定の間隔をおいて一列に配列されている。
【００１３】
この構造を模式的に表すと、図２（ｂ）に示すように、ベーステープ１４の裏面に剥離剤からなる剥離層３２があり、剥離層３２の上に接着剤からなる接着層３４があり、接着層３４の上にラインストーン１２がある。ラインストーン１２は剥離層３２の易剥離作用によってベーステープ１４から容易に剥離することができる。ラインストーン１２をベーステープ１４から剥離した場合、ラインストーン１２の底面に接着層３４が付随するため、ラインストーン１２は剥離した後に紙やプラスチック等に簡単に再接着することができる。
【００１４】
装着装置１０ではラインストーン１２の剥離および再接着は次のように行われる。図３に示すように、筐体の開口から露出したベーステープ１４をローラ２０を用いて紙やプラスチック等に押し当てながら所定の方向に動かすと、ローラ２０が転動してベーステープ１４が筐体２２の移動方向とは反対の方向に移動する。図４（ａ）に示すようにラインストーン１２が接着された位置までベーステープ１４が移動すると、図４（ｂ）に示すようにローラ２０がラインストーン１２に乗り上がりながら圧力を加え、ラインストーン１２をベーステープ１４に強く押し付ける。ベーステープ１４には２個のリール１６、１８の間で張力が作用しているため、ラインストーン１２が押し付けられる方向とは逆方向に戻ろうとする復元力が働く。その結果、切り込み３０が拡大し、その間からラインストーン１２がベーステープ１４の裏側に押しされる。
【００１５】
切り込み３０から押し出されたラインストーン１２には接着層３４が付随しているため、ローラ２０によって押し付けられながら被装飾体に再接着する。ベーステープ１４に接着された他のラインストーン１２についても同様の手順で被装飾体に装着することができる。
【００１６】
装着するラインストーン１２の個数は筐体２２を移動させる距離に応じて自由に調整することができる。またラインストーン１２を直線状に装着する以外にも、途中で筐体２２の移動の向きを変更することにより、角度をつけたり曲線状に装着することも容易に行うことができる。
【００１７】
ベーステープ１４に設ける切り込み３０は、前述した直線状のものの他にも様々な形態を採用することができる。例えば、図５（ａ）に示すように非連続の切り込み４０であってもよいし、図５（ｂ）に示すように切り込み５０の途中に孔５２を設け、押し出しやすいようにしてもよい。さらにはベーステープ１４の移動経路に刃を設置しておき、ローラ２０の手前で切り込みを形成するように構成することも可能である。
【符号の説明】
【００１８】
１０  装着装置
１２  ラインストーン
１４  ベーステープ
１６  供給リール
１８  回収リール
２０、２２  ローラ
２４  筐体
２６  開口
３０、４０、５０  切り込み
【図１】
2014091312.tif 000003
【図２】
2014091312.tif 000004
【図３】
2014091312.tif 000005
【図４】
2014091312.tif 000006
【図５】
2014091312.tif 000007